(57)【要約】【課題】第１の筐体と第２の筐体とを電気的に接続する信号線と、第１の筐体のスライドを補助する捩りコイルバネとの構成に工夫を加えることで、信号線の配線を容易にし、信号線がスライド操作を妨げないようにしてスライド量を大きくする。【解決手段】表面に表示部を有する第１の筐体２と、表面に操作部を有する第２の筐体３とを設け、第１の筐体２と第２の筐体３とを、フレキシブル基板１１で電気的に接続し、スライド機構４でスライド自在に連結する。第２の筐体３の表面に第１の筐体２のスライド方向に延びるように一対のレール部１２を設け、一対のレール部１２の間に第１の筐体２が第２の筐体３のレール部１２上をスライドするのを補助する２つのコイル部２１，２２を有する捩りコイルバネ２０を設ける。フレキシブル基板１１を捩りコイルバネ２０から所定の距離を設けて配設する。【選択図】図４
2008160261.tif 000002
【特許請求の範囲】
【請求項１】
表面に表示部を有する第１の筐体と、
表面に操作部を有する第２の筐体と、
上記第１の筐体と第２の筐体とを電気的に接続するフレキシブル基板と、
上記第１の筐体と第２の筐体とをスライド自在に連結するスライド機構とを備えたスライド式携帯機器であって、
上記スライド機構は、
上記第２の筐体表面に上記第１の筐体のスライド方向に延びる一対のレール部と、
上記一対のレール部の間に設けられ、上記第１の筐体が上記操作部が現れるようにスライドするのを補助することと、スライド後に元の位置にスライドするのを補助することとの少なくとも一方を行う捩りコイルバネとを備え、
上記捩りコイルバネは、
第１及び第２コイル部と、第１乃至第３直線部とを有し、
上記第１コイル部の一端は、第１直線部に連続すると共に、他端は第２直線部に連続し、該第２直線部の他端は、上記第２コイル部に連続し、上記第２コイル部の他端は、上記第３直線部に連続し、
上記フレキシブル基板は、上記捩りコイルバネの近傍に該捩りコイルバネから所定の距離を設けて配設されている
ことを特徴とするスライド式携帯機器。
【請求項２】
請求項１に記載のスライド式携帯機器において、
上記フレキシブル基板は、上記第１の筐体から第２の筐体へ、折曲部が側面視Ｕ字形状を形成するように結合されている
ことを特徴とするスライド式携帯機器。
【請求項３】
請求項１又は２に記載のスライド式携帯機器において、
上記第１の筐体の全体のスライド位置の中間位置において、上記捩りコイルバネのねじり角度が最小となる
ことを特徴とするスライド式携帯機器。
【請求項４】
請求項３に記載のスライド式携帯機器において、
上記第１の筐体と第２の筐体とが重合した状態から上記中間位置までの第１スライド量は、該中間位置から上記第１の筐体のスライド移動の終点までの第２スライド量よりも小さくなっている
ことを特徴とするスライド式携帯機器。
【請求項５】
請求項１乃至４のいずれか１つに記載のスライド式携帯機器において、
上記第１直線部の先端には、第１環状部が形成され、第３直線部の先端には、第２環状部が形成されている
ことを特徴とするスライド式携帯機器。
【請求項６】
請求項５に記載のスライド式携帯機器において、
上記第１直線部の第１環状部は、第１の筐体の側面近傍に、上記第３直線部の第２環状部は、第２の筐体の反対側側面近傍にそれぞれ回転自在に位置決めされている
ことを特徴とするスライド式携帯機器。
【請求項７】
請求項６に記載のスライド式携帯機器において、
上記第１及び第２コイル部の最小径部と最大径部とは、上記第２直線部と同一平面内に配置され、かつ、第１コイル部の最小径部から第１直線部へ、第２コイル部の最小径部から第３直線部へ、それぞれ上記同一平面から離れる同じ方向へ突出して連続している
ことを特徴とするスライド式携帯機器。
【請求項８】
請求項７に記載のスライド式携帯機器において、
上記第３直線部は、側面視で上記同一平面側に湾曲し、上記第２環状部は、該平面内に配置され、上記第１環状部と第２環状部とは、側面視でオフセットされている
ことを特徴とするスライド式携帯機器。
【請求項９】
スライド式携帯電話機であることを特徴とする請求項１乃至８のいずれか１つに記載のスライド式携帯機器。
【発明の詳細な説明】
【技術分野】
【０００１】
本発明は、携帯電話機や携帯通信機器等の、第１の筐体と第２の筐体とがスライド自在に連結されたスライド式携帯機器に関する。
【背景技術】
【０００２】
従来より、携帯機器は、その携帯性の確保のために、軽く、小さくする必要がある一方、その使いやすさの確保のためには、表示部を大きくしたいという要望がある。
【０００３】
ストレートタイプの携帯機器は、表面に現れる面積が制限され、その限られた表面に表示部と操作部とを設けなければならず、表示部の大きさを充分に確保できない。折畳み式携帯機器は、第１の筐体の表面に表示部を、第２の筐体の表面に操作部をそれぞれ有し、第１の筐体と第２の筐体とはヒンジ部にて結合されている。このためヒンジ部が表示部の場所をとるため表示部の占める場所の確保の障害になっている。このように、ストレートタイプの携帯機器や、折畳み式携帯機器では、表示部を最大限に大きくすることができない場合がある。
【０００４】
そこで、近年、表示部を大きくすることができるスライド式携帯機器が提案されている。例えば、特許文献１のように、操作部を有する第１の筐体と、表示部を有する第２の筐体と、第１の筐体及び第２の筐体を一軸方向にスライド自在に係合させるスライド係合手段とを有するスライド式携帯電話機が知られている。このスライド式携帯電話機は、スライド係合手段にスライド樹脂部材を設け、このスライド樹脂部材と対向する筐体側の対向面に突条部を設け、両筐体を伸展方向にスライドさせたとき、両筐体の重なりが最小となる伸展端付近ではスライド樹脂部材と突条部とが圧縮状態で接するように構成し、スライド開閉時の開閉端でのストッパの衝突音を低減させている。
【特許文献１】特開２００６−１６５８５４号公報
【発明の開示】
【発明が解決しようとする課題】
【０００５】
しかしながら、特許文献１のようなスライド式携帯機器においては、第１の筐体と第２の筐体とを電気的に接続する信号線（フレキシブル基板を含む）の配線を適切に行わないと、スライド操作時の妨げとなる。このため、スライド操作をスムーズに行えなかったり、信号線が絡まるのを防ぐためにスライド量が小さくなって操作部が小さくなったりするという問題があった。
【０００６】
本発明は、かかる点に鑑みてなされたものであり、その目的とするところは、第１の筐体と第２の筐体とを電気的に接続する信号線と、第１の筐体のスライドを補助する捩りコイルバネとの構成に工夫を加えることで、信号線の配線を容易にし、信号線がスライド操作を妨げないようにしてスライド量を大きくすることにある。
【課題を解決するための手段】
【０００７】
上記の目的を達成するために、この発明では、信号線と、第１の筐体のスライドを補助する捩りコイルバネとの配置に工夫を加えた。
【０００８】
具体的には、第１の発明では、表面に表示部を有する第１の筐体と、
表面に操作部を有する第２の筐体と、
上記第１の筐体と第２の筐体とを電気的に接続するフレキシブル基板と、
上記第１の筐体と第２の筐体とをスライド自在に連結するスライド機構とを備えたスライド式携帯機器を対象とする。
【０００９】
そして、上記スライド機構は、
上記第２の筐体表面に上記第１の筐体のスライド方向に延びる一対のレール部と、
上記一対のレール部の間に設けられ、上記第１の筐体が上記操作部が現れるようにスライドするのを補助することと、スライド後に元の位置にスライドするのを補助することとの少なくとも一方を行う捩りコイルバネとを備え、
上記捩りコイルバネは、
第１及び第２コイル部と、第１乃至第３直線部とを有し、
上記第１コイル部の一端は、第１直線部に連続すると共に、他端は第２直線部に連続し、該第２直線部の他端は、上記第２コイル部に連続し、上記第２コイル部の他端は、上記第３直線部に連続し、
上記フレキシブル基板は、上記捩りコイルバネの近傍に該捩りコイルバネから所定の距離を設けて配設される構成とする。
【００１０】
上記の構成によると、捩りコイルバネは、第２直線部によって第１及び第２コイル部が連結され、第１及び第３直線部に力を加えると捩り角度が変わり、第１及び第２コイル部によって捩り方向に伸縮力が発生する。２つのコイル部を設けることで、１つのコイル部しか有さないものに比べ、それぞれのコイル部の捩り角度は１／２ですむ。このため、同等の捩り角を発生させるために１つのコイル部による場合に比べてコイル部のサイズが小さくなる。
【００１１】
第１の筐体を第２の筐体に設けたレール部に沿って移動させると、第２の筐体の操作部が現れて操作が可能となる。このとき、捩りコイルバネが第１の筐体のスライド移動を補助するので、スライド操作がスムーズに行われる。また、第１の筐体と第２の筐体とを電気的に接続するフレキシブル基板が、捩りコイルバネから所定の距離を設けて配設され、かつ、コイル部のサイズが小さくなっているので、第１の筐体をスライド移動させるときにも、フレキシブル基板を容易に捩りコイルバネに接触しないようにすることができ、フレキシブル基板がスライド操作を妨げるのが防止される。このため、第１の筐体のスライド量が大きくなる。
【００１２】
第２の発明では、第１の発明において、
上記フレキシブル基板は、上記第１の筐体から第２の筐体へ、折曲部が側面視Ｕ字形状を形成するように結合されている。
【００１３】
上記の構成によると、第１の筐体のスライド移動に合わせて、柔軟性を備えたフレキシブル基板が、折曲部が側面視Ｕ字形状を保ったままスムーズに変形するので、フレキシブル基板がスライド操作を妨げるのが防止される。このため、さらに第１の筐体のスライド量が大きくなる。
【００１４】
第３の発明では、第１又は第２の発明において、
上記第１の筐体の全体のスライド位置の中間位置において、上記捩りコイルバネのねじり角度が最小となる。
【００１５】
上記の構成によると、第１の筐体が中間位置をずれると、圧縮されていた捩りコイルバネが元に戻ろうとするので、いずれの方向にも第１の筐体のスライド移動が補助される。
【００１６】
第４の発明では、第３の発明において、
上記第１の筐体と第２の筐体とが重合した状態から上記中間位置までの第１スライド量は、該中間位置から上記第１の筐体のスライド移動の終点までの第２スライド量よりも小さくなっている。
【００１７】
上記の構成によると、第１の筐体と第２の筐体とが重合した状態から第１の筐体を第１スライド量よりも若干多く移動させると、力を加えなくても、捩りコイルバネの付勢力によって第１の筐体が操作部が現れるようにスライド移動する。同様に操作部が完全に現れた第１の筐体のスライド移動の終点から第１の筐体を第２スライド量よりも若干多くスライド移動させると、力を加えなくても、捩りコイルバネの付勢力によって第１の筐体が第２の筐体に重合させた状態に力をスライド移動する。このとき、第１スライド量が第２スライド量よりも小さいため、第１の筐体をスライド移動させて操作部を使用する場合のスライド量が、第１の筐体を第２の筐体に重合させて待機状態とする場合のスライド量よりも小さくなる。このため、特に第１の筐体をスライド移動させて操作部を使用するのが容易である。
【００１８】
第５の発明では、第１乃至第４のいずれか１つの発明において、
上記第１直線部の先端には、第１環状部が形成され、第３直線部の先端には、第２環状部が形成されている。
【００１９】
上記の構成によると、第１及び第３直線部の先端をピンに挿入することで、捩りコイルバネが適度に回転するので、第１の筐体をスライド移動させるときにも、フレキシブル基板を容易に捩りコイルバネに接触しないようにすることができ、フレキシブル基板がスライド操作を妨げるのが防止される。このため、さらに第１の筐体のスライド量が大きくなる。
【００２０】
第６の発明では、第５の発明において、
上記第１直線部の第１環状部は、第１の筐体の側面近傍に、上記第３直線部の第２環状部は、第２の筐体の反対側側面近傍にそれぞれ回転自在に位置決めされている。
【００２１】
上記の構成によると、第１の筐体をスライド移動させると、捩りコイルバネが一対のレール部の間で、その第３直線部の第２環状部の位置が固定された状態で第１直線部の第１環状部が移動し、フレキシブル基板を避けながら回転する。このため、さらに第１の筐体のスライド量が大きくなる。
【００２２】
第７の発明では、第６の発明において、
上記第１及び第２コイル部の最小径部と最大径部とは、上記第２直線部と同一平面内に配置され、かつ、第１コイル部の最小径部から第１直線部へ、第２コイル部の最小径部から第３直線部へ、それぞれ上記同一平面から離れる同じ方向へ突出して連続している。
【００２３】
上記の構成によると、第１及び第２コイル部から第１又は第３直線部へ連続する部分が、第１及び第２コイル部から同じ方向に突出しているので、全体の高さが抑えられ、狭いスペースでも配置が可能である。
【００２４】
第８の発明では、第７の発明において、
上記第３直線部は、側面視で上記同一平面側に湾曲し、上記第２環状部は、該平面内に配置され、上記第１環状部と第２環状部とは、側面視でオフセットされている。
【００２５】
上記の構成によると、第１の筐体と第２の筐体との間の隙間に捩りコイルバネを配置しするときに、第１の筐体に第１環状部が、第２の筐体に第２環状部がそれぞれ容易に取り付けられる。
【００２６】
第９の発明では、第１乃至第８のいずれか１つの発明において、
スライド式携帯機器は、スライド式携帯電話機とする。
【００２７】
上記の構成によると、第１の筐体のスライド量を大きくして表示部及び操作部を大きく保ちながら、第１の筐体のスライド操作がスムーズに行えるので、携帯性及び操作性のよい携帯電話機が得られる。
【発明の効果】
【００２８】
以上説明したように、本発明によれば、第２の筐体の表面に一対のレール部を設け、２つのコイル部を有する捩りコイルバネによって、第１の筐体がレール部上をスライド移動するのを補助するようにすると共に、第１の筐体と第２の筐体とを電気的に接続するフレキシブル基板を捩りコイルバネから所定の距離を設けて配設したことにより、第１の筐体がスライド移動する際にフレキシブル基板が捩りコイルバネに接触せず、フレキシブル基板がスライド操作を妨げるのが防止されるので、スライド量を大きくすることができ、表示部及び操作部が大きく、操作性のよいスライド式携帯機器が得られる。
【００２９】
上記第２の発明によれば、フレキシブル基板を第１の筐体から第２の筐体へ折曲部が側面視Ｕ字形状を形成するように配置し、第１の筐体のスライド移動に合わせてスムーズに変形するようにしている。このため、確実にフレキシブル基板がスライド操作を妨げるのを防止し、スライド量を大きくして操作部を大きく保つことができる。
【００３０】
上記第３の発明によれば、第１の筐体の全体のスライド位置の中間位置において捩りコイルバネのねじり角度を最小とし、いずれの方向にも第１の筐体のスライド移動を補助するようにしている。このため、第１の筐体のスライド操作をいずれの方向にもワンタッチで行うことができる。
【００３１】
上記第４の発明によれば、第１の筐体をスライド移動させて操作部を使用する場合のスライド量を第１の筐体を第２の筐体に重合させて待機状態とする場合のスライド量よりも小さくしている。このため、極めて容易に第１の筐体をスライド移動させて操作部を使用することができるので、さらに操作性のよい携帯電子機器が得られる。
【００３２】
上記第５の発明によれば、第１及び第３直線部の先端に環状部を形成し、第１及び第３直線部の先端をピンに挿入すれば捩りコイルバネが適度に回転するようにした。このため、第１の筐体がスライド移動するときに捩りコイルバネがフレキシブル基板を避けるので、確実にフレキシブル基板がスライド操作を妨げるのを防止することができる。
【００３３】
上記第６の発明によれば、第１直線部の第１環状部を第１の筐体の側面近傍に、第３直線部の第２環状部を第２の筐体の反対側側面近傍にそれぞれ回転自在に位置決めし、捩りコイルバネを一対のレール部の間で回転するようにしている。このため、捩りコイルバネがフレキシブル基板を避けながら回転するので、確実にフレキシブル基板がスライド操作を妨げるのを防止することができる。
【００３４】
上記第７の発明によれば、第１及び第２コイル部から直線部に連続する部分を同じ方向に突出させて全体の高さを抑えている。このため、スライド式携帯機器の厚さが抑えられ、その携帯性を確保することができる。
【００３５】
上記第８の発明によれば、第１環状部と第２環状部とを側面視でオフセットさせ、第１の筐体に第１環状部を、第２の筐体に第２環状部をそれぞれ容易に取り付けられるようにしている。このため、捩りコイルバネのレイアウトが容易である。
【００３６】
上記第９の発明によれば、フレキシブル基板が第１の筐体のスライド操作を妨げないようにして、表示部及び操作部を大きく保ちながら、第１の筐体のスライド操作をスムーズに行えるようにしたことにより、携帯性及び操作性のよい商品性の高いスライド式携帯電話機を提供することができる。
【発明を実施するための最良の形態】
【００３７】
以下、本発明の実施形態を図面に基づいて説明する。
【００３８】
図１は本発明の実施形態にかかるスライド式携帯電話機の第１の筐体が上端にスライドした様子を示す正面図である。図２は、図１のII−II線断面図である。図４は、捩りコイルバネが見えるようにした図１相当図である。図５〜図１０は、第１の筐体がスライドしたときの図４又は図２相当図である。図３は、図５のIII−III線断面図である。
【００３９】
図１に示すように、スライド式携帯電話機１は、上下方向に長い第１の筐体２と第２の筐体３とを備えている。白い矢印で示すように、第１の筐体２と第２の筐体３とは、スライド機構４により上下方向にスライド自在に連結されている。
【００４０】
第１の筐体２は、その表面に上下方向に長い縦長の表示部５を有し、その表示部５の上側に受話部６が設けられている。表示部５は、液晶ディスプレイでも、有機ＥＬディスプレイでもよい。
【００４１】
第２の筐体３は、その表面の中央から下側の部分に操作部７を有している。この操作部７には、例えばファンクションボタン８と、番号ボタン９とが設けられている。操作部７の下側に受話部１０が設けられている。
【００４２】
図２に断面で示すように、第１の筐体２と第２の筐体３とは、後述するフレキシブル基板１１（二点鎖線で示す）によって電気的に接続されている。
【００４３】
図３及び図４に示すように、上記第２の筐体３表面の左右端部には、上下方向に延びるように一対のレール部１２が設けられている。上記一対のレール部１２は、第２の筐体３の左右中央から、外側に向かって凹むように設けた溝形状に形成されている。一方、第１の筐体２の裏面側の裏側キャビネット２ａには、この一対のレール部１２内に挿入される上下方向に長い係止部１３が左右方向に突出するように形成されている。この係止部１３をレール部１２内に挿入させることで、第１の筐体２が安定して第２の筐体３上をスライド移動するようになっている。なお、図３では、第１の筐体２は、裏側キャビネット２ａのみ示し、図４等では、見やすくするために第１の筐体２は二点鎖線で描き、第２の筐体３の表面の操作部７等は省略している。
【００４４】
上記一対のレール部１２の間には、捩りコイルバネ２０が設けられている。捩りコイルバネ２０は、第１の筐体２が第２の筐体３の上端側へスライドするのを補助すると共に、スライド後に元の位置に（下方へ）スライドするのを補助するものとなっている。上記スライド機構４は、これら一対のレール部１２と捩りコイルバネ２０とで構成されている。
【００４５】
図１１〜図１３に示すように、上記捩りコイルバネ２０は、バネ用ステンレス鋼線（例えば、ＳＵＳ３０４ＷＰＡやＳＵＳ３０４ＷＰＢ）で構成されている。このため、耐腐食性に優れ、耐久性が向上している。上記捩りコイルバネ２０は、第１及び第２コイル部２１，２２と、第１乃至第３直線部２３，２４，２５とを有している。第１コイル部２１の一端は、第１直線部２３に連続すると共に、他端は第２直線部２４に連続している。第２直線部２４の他端は、第２コイル部２２に連続し、第２コイル部２２の他端は、上記第３直線部２５に連続している。本実施形態では、第１直線部２３は、第３直線部２５よりも長いものとなっている。
【００４６】
上記第１及び第２コイル部２１，２２は、その最大径部２１ａ，２２ａと第２直線部２４とがそれぞれ同一平面内に配置されている。第１及び第２コイル部２１，２２の最小径部２１ｂ，２２ｂと最大径部２１ａ，２２ａとは、上記第２直線部２４と同一平面内に配置され、かつ、第１コイル部２１の最小径部２１ｂから第１直線部２３へ、第２コイル部２２の最小径部２２ｂから第３直線部２５へ、それぞれ上記同一平面から離れる同じ方向（表面側）へ突出して連続している。このように、第１及び第２コイル部２１，２２から第１又は第３直線部２３，２５へ連続する部分が、第１及び第２コイル部２１，２２から同じ方向に突出しているので、全体の高さが抑えられ、狭いスペースでも配置が可能となっている。
【００４７】
さらに、図３及び図５に示すように、第３直線部２５は、側面視で上記同一平面側に湾曲し、第２環状部２７は、該平面内に配置され、第１環状部２６と第２環状部２７とは、側面視でオフセットされている。このため、第１の筐体２に第１環状部２６が、第２の筐体３に第２環状部２７がそれぞれ容易に取り付けられるようになっている。
【００４８】
上記第１直線部２３の先端には、第１環状部２６が形成され、第３直線部２５の先端には、第２環状部２７が形成されている。表面から見て第１の筐体２の側面近傍、すなわち、裏側キャビネット２ａ裏面側の上下方向中央部左側には、第１バネ固定ピン２９が第２の筐体３側へ突出するように設けられている。同様に表面から見て第２の筐体３の反対側側面近傍、すなわち、表面側の上下方向中央よりも上側かつ右側には、第２バネ固定ピン３０が第１の筐体２側へ突出するように設けられている。第１環状部２６は、第１バネ固定ピン２９に回転自在に位置決めされている。同様に第２環状部２７は、第２バネ固定ピン３０に回転自在に位置決めされている。
【００４９】
捩りコイルバネ２０は、第１及び第３直線部２５に力を加えると捩り角度が変わり、第１及び第２コイル部２１，２２によって捩り方向に伸縮力が発生する。２つのコイル部２１，２２を設けることで、１つのコイル部しか有さないものに比べ、それぞれのコイル部の捩り角度は１／２ですむ。このため、同等の捩り角を発生させるために１つのコイル部による場合に比べてコイル部２１，２２のサイズが小さくなっている。
【００５０】
そして、捩りコイルバネ２０は、第１の筐体２の全体のスライド位置の中間位置（図５及び図６に示す）において、上記捩りコイルバネ２０のねじり角度が最小となるように配置されている。
【００５１】
図４等に示すように、上記フレキシブル基板１１は、捩りコイルバネ２０の下側に該捩りコイルバネ２０から所定の距離を設けて配設されている。なお、図４には、捩りコイルバネ２０に挟まれたフレキシブル基板１１の部分を二点鎖線で示している。具体的には、第１の筐体２の内部の表示部５の背面側には、表示部側基板１８が設けられ、第２の筐体３の内部には、操作部側基板１９が設けられている。フレキシブル基板１１は、縦長矩形状を有し、上下方向に長手方向が向くように配置され、一端１１ａが表示部側基板１８に接続され、他端１１ｂが操作部側基板１９に接続されている。フレキシブル基板１１は、適度な柔軟性を有し、折り曲げると、その折曲部１１ｃが湾曲し、側面視でＵ字形状になる性質を持っている。このことで、フレキシブル基板１１は、第１の筐体２から第２の筐体３へ、折曲部１１ｃが側面視Ｕ字形状を形成するように結合されている。
【００５２】
−作用−
次に、本実施形態にかかるスライド式携帯電話機１のスライド操作について説明する。
【００５３】
まず、図９及び図１０に示すように、待機状態では、第１の筐体２が第２の筐体３と重合した状態にある。捩りコイルバネ２０の形状は、平面視で２つのコイル部２１，２２が左右のほぼ同じ高さに並んでいる。第２コイル部２２の下側に捩りコイルバネ２０と距離を保ってフレキシブル基板１１が配設されている。フレキシブル基板１１の折曲部１１ｃは側面視Ｕ字形状を保っている。
【００５４】
次いで、図７及び図８に示すように、第１の筐体２を上方に若干スライドさせる。このとき、第１の筐体２は、第２の筐体３に設けたレール部１２に沿って上方へ移動する。第２環状部２７は定位置にあり、第２バネ固定ピン３０を中心に回転すると共に、第１環状部２６が第１バネ固定ピン２９を中心に回転しながら上方へ移動する。捩りコイルバネ２０の形状は、第１コイル部２１が第２コイル部２２よりも上方に位置し、全体として山形となる。フレキシブル基板１１も折曲部１１ｃはＵ字形状を保ったまま、捩りコイルバネ２０の下方に距離を保ってスライドする。捩りコイルバネ２０の捩り角は、自由形状よりも縮まるので、その付勢力に抗して第１の筐体２をスライド移動させる。
【００５５】
次いで、図５及び図６に示すように、さらに第１の筐体２を上方へ移動させると、操作部７が徐々に現れ、第１の筐体２のスライド移動の中間位置に到達する。捩りコイルバネ２０の形状は、第１コイル部２１がさらに上方かつ右側へ移動する。フレキシブル基板１１も折曲部１１ｃがＵ字形状を保ったまま、捩りコイルバネ２０の内側に距離を保ってスライドする。このとき、最も捩りコイルバネ２０の捩り角度が小さくなり、弾性エネルギーが最も蓄えられる。このことで、第１の筐体２が中間位置を上下いずれかの方向にずれると、圧縮されていた捩りコイルバネ２０が元に戻ろうとするので、いずれの方向にも第１の筐体２のスライド移動が補助される。
【００５６】
次いで、さらに第１の筐体２を上方へ移動させると、捩りコイルバネ２０が圧縮された状態から自由形状に戻ろうとして、第１の筐体２のスライド移動を補助する。すると、図２及び図４に示すように、第１の筐体２が第２の筐体３の上端側に移動し、操作部７が完全に現れて操作部７の操作が可能になり、また、通話が可能となる。捩りコイルバネ２０の形状は、第１コイル部２１が第２コイル部２２の上側に移動し、第１及び第２コイル部２１，２２が右端に位置する。フレキシブル基板１１も折曲部１１ｃはＵ字形状を保ったまま、捩りコイルバネ２０の内側に距離を保って保持される。
【００５７】
逆に第１の筐体２を第２の筐体３と重合させるときには、上記と逆の操作となる。
【００５８】
このように、捩りコイルバネ２０の付勢力により、第１の筐体２を手で少しスライドして離すとスライド前の状態に戻ろうとするが、手で多量にスライドして中間位置を過ぎて手を離すと第１の筐体２がスライドする。すなわち、捩りコイルバネ２０が第１の筐体２のスライド移動をいずれの方向にも補助するので、スライド操作がスムーズにワンタッチで行われる。
【００５９】
フレキシブル基板１１が、捩りコイルバネ２０から所定の距離を設けて配設され、かつ、第１及び第２コイル部２１，２２のサイズが小さくなっているので、第１の筐体２をスライド移動させるときにも、フレキシブル基板１１は、捩りコイルバネ２０に接触しない。
【００６０】
第１及び第３直線部２５の先端を第１又は第２固定ピン２９，３０に挿入することで、捩りコイルバネ２０がフレキシブル基板１１を避けながら回転するので、第１の筐体２をスライド移動させるときにも、フレキシブル基板１１が捩りコイルバネ２０に接触することはない。このため、第１の筐体２は大きくスライド移動する。
【００６１】
−実施形態の効果−
したがって、本実施形態にかかるスライド式携帯電話機１によると、第２の筐体３の表面に一対のレール部１２を設け、２つのコイル部２１，２２を有する捩りコイルバネ２０によって、第１の筐体２がレール部１２上をスライド移動するのを補助するようにすると共に、第１の筐体２と第２の筐体３とを電気的に接続するフレキシブル基板１１を捩りコイルバネ２０から所定の距離を設けて配設したことにより、第１の筐体２がスライド移動する際にフレキシブル基板１１が捩りコイルバネ２０に接触せず、フレキシブル基板１１がスライド操作を妨げるのが防止されるので、スライド量を大きくすることができ、表示部５及び操作部７が大きく、携帯性及び操作性のよい商品性の高いスライド式携帯電話機１が得られる。
【００６２】
フレキシブル基板１１を第１の筐体２から第２の筐体３へ折曲部１１ｃが側面視Ｕ字形状を形成するように配置し、第１の筐体２のスライド移動に合わせてスムーズに変形するようにしている。このため、確実にフレキシブル基板１１がスライド操作を妨げるのを防止し、スライド量を大きくして操作部７を大きく保つことができる。
【００６３】
第１の筐体２の全体のスライド位置の中間位置において捩りコイルバネ２０のねじり角度を最小とし、いずれの方向にも第１の筐体２のスライド移動を補助するようにしている。このため、第１の筐体２のスライド操作をいずれの方向にもワンタッチで行うことができる。
【００６４】
第１及び第３直線部２５の先端に第１及び第２環状部２６，２７を形成し、第１及び第３直線部２５の先端をピンに挿入すれば捩りコイルバネ２０が適度に回転するようにした。このため、第１の筐体２がスライド移動するときに捩りコイルバネ２０がフレキシブル基板１１を避けるので、確実にフレキシブル基板１１がスライド操作を妨げるのを防止することができる。
【００６５】
第１環状部２６を第１の筐体２の側面近傍に、第２環状部２７を第２の筐体３の反対側側面近傍にそれぞれ回転自在に位置決めし、捩りコイルバネ２０を一対のレール部１２の間で回転するようにしている。このため、捩りコイルバネ２０がフレキシブル基板１１を避けながら回転するので、確実にフレキシブル基板１１がスライド操作を妨げるのを防止することができる。
【００６６】
第１及び第２コイル部２１，２２から第１又は第３直線部２３，２５に連続する部分を同じ方向に突出させて全体の高さを抑えている。このため、スライド式携帯電話機１の厚さが抑えられ、その携帯性を確保することができる。
【００６７】
第１環状部２６と第２環状部２７とを側面視でオフセットさせ、第１の筐体２に第１環状部２６を、第２の筐体３に第２環状部２７をそれぞれ容易に取り付けられるようにしている。このため、捩りコイルバネ２０のレイアウトが容易である。
【００６８】
−実施形態の変形例−
図１４〜図１６に本実施形態の変形例にかかる携帯電話機１０１を示す。第１の筐体２と第２の筐体３とが重合した状態（図１４に示す）から中間位置（図１５に示す）までの第１スライド量Ａは、中間位置から第１の筐体２のスライド移動の終点（図１６に示す）までの第２スライド量Ｂよりも小さくなっている（Ａ＜Ｂ）。全体のスライド量Ｃは、Ｃ＝Ａ＋Ｂとなっている。なお、図１４〜図１６において、携帯電話機１０１は、捩りコイルバネ２０が見やすいように簡略化して描かれている。
【００６９】
すなわち、第１の筐体２と第２の筐体３とが重合した状態から第１の筐体２を第１スライド量Ａよりも若干多く移動させると、力を加えなくても、捩りコイルバネ２０の付勢力によって第１の筐体２が操作部７が現れるように力をスライド移動する。
【００７０】
同様に操作部７が完全に現れた第１の筐体２のスライド移動の終点から第１の筐体２を第２スライド量よりも若干多くスライド移動させると、力を加えなくても、捩りコイルバネ２０の付勢力によって第１の筐体２が第２の筐体３に重合させた状態に力をスライド移動する。このとき、第１スライド量Ａが第２スライド量Ｂよりも小さいため、第１の筐体２をスライド移動させて操作部７を使用する場合のスライド量（Ａ＋Ｃ／２）が、第１の筐体２を第２の筐体３に重合させて待機状態とする場合のスライド量（Ｂ＋Ｃ／２）よりも小さくなる。このため、特に第１の筐体２をスライド移動させて操作部７を使用するのが容易である。
【００７１】
したがって、極めて容易に第１の筐体２をスライド移動させて操作部７を使用することができるので、さらに操作性のよい携帯電話機１０１が得られる。
【００７２】
（その他の実施形態）
本発明は、上記実施形態について、以下のような構成としてもよい。
【００７３】
すなわち、図示しないが、第１の筐体２の表面下側に第２の操作部を設けてもよい。このことで、第１の筐体２と第２の筐体３とを重合させた状態で第２の操作部の操作が可能となり、表示部５を横長状態にして第２の操作部の操作も可能となる。しかしながら、本発明では、第１の筐体２のスライド量を大きくして、操作部７を大きくすることができるので、必ずしも第２の操作部を設ける必要はない。
【００７４】
上記実施形態では、スライド式携帯電話機１は、上下方向に長い第１の筐体２と第２の筐体３とを備えるものとしたが、左右方向に長い第１の筐体２と第２の筐体３とを備えるものとしてもよい。この場合には、表示部は、横長のものとなる。
【００７５】
上記実施形態では、スライド式携帯機は、スライド式携帯電話機１としたが、ＰＨＳ、ＰＤＡ、ＰＣ、モバイルツール、電子辞書、電卓、複写機などであってもよい。
【００７６】
なお、以上の実施形態は、本質的に好ましい例示であって、本発明、その適用物や用途の範囲を制限することを意図するものではない。
【産業上の利用可能性】
【００７７】
以上説明したように、本発明は、携帯電話機や携帯通信機器等の、第１の筐体と第２の筐体とがフレキシブル基板によって電気的に接続されると共に、スライド自在に連結されたスライド式携帯機器について有用である。
【図面の簡単な説明】
【００７８】
【図１】本発明の実施形態にかかるスライド式携帯電話機の第１の筐体が上端にスライドした様子を示す正面図である。
【図２】図１のII−II線断面図である。
【図３】図５のIII−III線断面図である。
【図４】捩りコイルバネが見えるようにした図１相当図である。
【図５】第１の筐体がスライド中間位置にある様子を示す図４相当図である。
【図６】第１の筐体がスライド中間位置にある様子を示す図２相当図である。
【図７】第１の筐体のスライド途中の様子を示す図４相当図である。
【図８】第１の筐体のスライド途中の様子を示す図２相当図である。
【図９】第１の筐体と第２の筐体とが重合した様子を示す図４相当図である。
【図１０】第１の筐体と第２の筐体とが重合した様子を示す図２相当図である。
【図１１】捩りコイルバネの斜視図である。
【図１２】捩りコイルバネの平面図である。
【図１３】捩りコイルバネの側面図である。
【図１４】実施形態の変形例にかかる携帯電話機の第１の筐体が上端にスライドした様子を示し、（ａ）が正面図で、（ｂ）が側面図である。
【図１５】第１の筐体がスライド中間位置にある様子を示す図１４相当図である。
【図１６】第１の筐体と第２の筐体とが重合した様子を示す図１４相当図である。
【符号の説明】
【００７９】
１，１０１      スライド式携帯電話機（スライド式携帯機器）
２      第１の筐体
３      第２の筐体
４      スライド機構
５      表示部
７      操作部
１１      フレキシブル基板
１１ｃ    折曲部
１２      レール部
２０      捩りコイルバネ
２１      第１コイル部
２１ａ，２２ａ  最大径部
２１ｂ，２２ｂ  最小径部
２２      第２コイル部
２３      第１直線部
２４      第２直線部
２５      第３直線部
２６      第１環状部
２７      第２環状部
【図１】
2008160261.tif 000003
【図２】
2008160261.tif 000004
【図３】
2008160261.tif 000005
【図４】
2008160261.tif 000006
【図５】
2008160261.tif 000007
【図６】
2008160261.tif 000008
【図７】
2008160261.tif 000009
【図８】
2008160261.tif 000010
【図９】
2008160261.tif 000011
【図１０】
2008160261.tif 000012
【図１１】
2008160261.tif 000013
【図１２】
2008160261.tif 000014
【図１３】
2008160261.tif 000015
【図１４】
2008160261.tif 000016
【図１５】
2008160261.tif 000017
【図１６】
2008160261.tif 000018